(57)【要約】  【課題】汎用の段ボール箱で煙草を配送するにおいて、検品作業の手間軽減と箱詰め間違いによるトラブル回避とを図る。  【手段】煙草の銘柄ごとにラベル２を用意しておき、このラベル２を段ボール箱１１に貼り付けておく。ラベル２の表面には、煙草のパッケージが予め印刷されている第１欄４、煙草の銘柄名が予め印刷されている第２欄５、段ボール箱１１への煙草の入数を手書きで記入できる第３欄６、整理番号が予め印刷されている第４欄７、１カートンの個数が表示する第５欄８が形成されている。ラベル２を視認することにより、段ボール箱１１を開封しなくても種類と量を確認できる。【選択図】      図２
2006259265.tif 000002
【特許請求の範囲】
【請求項１】
煙草配送用の段ボール箱に貼り付けできるように裏面に粘着剤が塗布されている配送用ラベルであって、
その表面に、特定の煙草のパッケージ外観が予め印刷されている第１欄と、前記パッケージに対応した煙草の銘柄が予め印刷されている第２欄と、段ボール箱への煙草の入り数を手書きで記入できる第３欄とが設けられている、
煙草配送用ラベル。
【請求項２】
裏面に粘着剤が塗布されている配送用ラベルの多数枚を台紙に引き剥がし可能に貼り付けており、
前記各配送用ラベルの表面には、特定の煙草のパッケージ外観が予め印刷されている第１欄と、前記パッケージに対応した煙草の銘柄が予め印刷されている第２欄と、段ボール箱への煙草の入り数を手書きで記入できる第３欄と、整理番号やバーコードのような管理用データが予め印刷されている第４欄と、１カートンに何個の煙草が入っているかの表示が予め印刷されている第５欄とを設けている、
煙草配送用ラベルの集合体。
【発明の詳細な説明】
【技術分野】
【０００１】
本願発明は、煙草を段ボール箱に詰めて配送するに際して使用する配送用ラベル（配送票又は表示ラベルといっても良い）及びその集合体に関するものである。
【背景技術】
【０００２】
現在の商品物流においては、大部分の商品が段ボール箱に梱包されて配送されている。この場合、１つの段ボール箱に１種類の商品しか梱包しない場合と、１つの段ボール箱に複数種類の商品が梱包する場合とがある。
【０００３】
１つの段ボール箱に１種類の商品しか梱包しない場合は、段ボール箱を特定の商品に専用化して、その表面に商品の名称（商標）や外観のような識別手段を予め印刷していることが多く、このため、発注者は段ボール箱を開封しなくても内容物を確認することができ、配送間違いがあれば段ボール箱を開封することなく発見して、そのまま返却することができる。
【０００４】
他方、１つの段ボール箱に複数種類の商品を混包している場合は、無地か或いは会社名のみ表示されているような汎用の段ボール箱を使用せざるを得ないため、段ボール箱を開封しないと内容物を確認できないことになる。１つの段ボール箱に１種類の商品を詰める場合でも、ロット数が少なくて専用の段ボール箱を用意できずに汎用の段ボール箱を使用する場合は、開封しないと内容物を確認できない。このため検品作業に手間が掛かるという問題があった。
【０００５】
また、荷が配達されても段ボール箱を開封せずにそのまま保管しておきたい場合があるが、汎用の段ボール箱に梱包されている場合は開封しないと検品できないため開封せざるを得ない。納品時にドライバー立ち会いの下で開封して検品せずに後で開封した場合は、種類や数量、或いは配達先の間違いを発見しても、その間違いが送り元や運送会社の責任であることを立証できずにトラブルになることもあった。
【０００６】
他方、特許文献１には、農産物を段ボール箱に詰めて出荷するにおいて、箱詰めされている農産物の画像や書誌的データを出荷時にラベルにプリントし、このラベルを段ボール箱に貼って配送することが記載されている。
【特許文献１】特開２００５−５５７１１号公報
【発明の開示】
【発明が解決しようとする課題】
【０００７】
ところで、煙草を卸業者から小売店に配送する場合も段ボール箱に詰めて出荷されており、１つの汎用段ボール箱に複数種類の煙草を混包する場合も多いが、煙草には多数の銘柄が存在するため、上記した検品作業の手間や配送ミスによるトラブルが切実な問題となっていた。
【０００８】
この点、特許文献１のようなラベルを使用すると段ボール箱を開封しなくても内容物を確認することができるが、特許文献１の構成では、出荷に際して一々ラベルにプリントしなければならないため、却って手間がかかるのみならず、カメラやプリンターを必要とするためコストも嵩むことになる。
【０００９】
本願発明はこのような現状に鑑み成されたもので、段ボール箱を開封しなくても内容物を簡易に確認できるようにすることを課題とするものである。
【課題を解決するための手段】
【００１０】
前記の課題は本願発明の配送用ラベルによって達成できる。すなわち本願発明の配送用ラベルは、ボール箱に貼り付けできるように裏面に粘着剤が塗布されている一方、その表面に、特定の煙草のパッケージ外観が予め印刷されている第１欄と、前記パッケージに対応した煙草の銘柄が予め印刷されている第２欄と、段ボール箱への煙草の入り数を手書きで記入できる第３欄とが設けられている。
【００１１】
本願発明は煙草配送用ラベルの集合体も含んでいる。このラベルの集合体は、裏面に粘着剤が塗布されている配送用ラベルの多数枚を剥離紙に引き剥がし可能に貼り付けており、前記各配送用ラベルの表面には、特定の煙草のパッケージ外観が予め印刷されている第１欄と、前記パッケージに対応した煙草の銘柄が予め印刷されている第２欄と、段ボール箱への煙草の入り数を手書きで記入できる第３欄と、整理番号やバーコードのような二次元データが予め印刷されている第４欄と、１カートンに何個の煙草が入っているかの表示が予め印刷されている第５欄とを設けている。
【発明の効果】
【００１２】
本願発明によると、汎用の段ボール箱に１種類又は複数種類の煙草を詰めて配送するにおいては、詰められている煙草の銘柄を表示するラベルを段ボール箱の外面に貼り付けて、その第３欄に煙草の入数を記入しておくことにより、段ボール箱を一々開封することなく銘柄と量を把握することができ、このため、検品の手間を著しく軽減できるのであり、また、箱詰め間違いや配達先の間違いがあった場合は開封前に間違いを発見して返品できるため、トラブルを回避することができる。
【００１３】
また、段ボール箱を倉庫に保管して煙草を小出しする場合、段ボール箱の表面に煙草の銘柄が表示されているため、目的とする煙草を素早く取り出すことができる。この場合、銘柄名だけの表示であると内容物を把握し難くて取り出しに手間取ることがあるが（特に、煙草を吸わない人の場合は把握し難い）、本願発明ではラベルの第１欄に商品のパッケージの外観が表示されているため、煙草を吸わない人でも銘柄を一目で把握して、目的とする煙草を素早く取り出すことができる。
【００１４】
そして、ラベルには銘柄名とパッケージ外観とが予め印刷されているため、出荷に際して一々プリントする必要はなく、ラベルには数量を手書きで記入するだけでよいため、出荷時に手間がかかることもないし、また、プリンタのような特別の装置類は必要ないためコストが嵩むこともない。
【００１５】
ラベルは、取り扱いの点から台紙（剥離紙、離型紙）に引き剥がし可能に貼り付けておくのが好ましいが、この場合、請求項２のように構成すると、例えば、一般に販売されている煙草の全銘柄に対応したラベルを１枚の離型紙（台紙）に貼り付けておくというように、多種類のラベルを１枚の剥離紙に貼り付けておくことにより、多種類のラベルを総括的に管理することができる。また、請求項２のように、管理データが予め印刷された第４欄を設けると、出荷元での商品管理の手間軽減に資することもできる。
【００１６】
ところで、煙草の卸売では一般に箱を単位として１００個（１００箱）というように取引されている一方、箱詰めはカートン単位でなされている。この場合、１カートンに１０個入りの場合と２０個入りの場合とがあり、混乱する虞れがある。この点、請求項２のように１カートンに何個の煙草が入っているかの表示が予め印刷されている第５欄とを設けておくと、カートン数と箱数との関係を一目で把握できるため、検品の手間を一層軽減することができる。
【発明を実施するための最良の形態】
【００１７】
次に、本願発明の実施形態を図面に基づいて説明する。図１（Ａ）は多数枚のラベル２を台紙（離型紙）３に貼ってなるラベル集合体１の概略斜視図、図１（Ｂ）はラベル集合体１の部分的な平面図である。
【００１８】
各ラベル２は横長で帯状に形成されており、隣合ったラベル２は互いに密着して整列して並べられている。各ラベル２の裏面には粘着剤が塗布されており、他方、台紙３の表面にはシリコーン樹脂等の離型膜が塗工されている。図１において、台紙３に貼った状態での各ラベル１の輪郭は一点鎖線で示している。
【００１９】
各ラベル２の表面には、特定の煙草のパッケージが予め印刷されている第１欄４、特定の煙草の銘柄名が予め印刷されている第２欄５、段ボール箱への煙草の入数を手書きで記入できるように右端に「個」の文字が予め印刷されている第３欄６、整理番号が予め印刷されている第４欄７、１カートンに何個の煙草が入っているかを表示する第５欄８が形成されている。本実施形態では、左から順に、第４欄７、第１欄４、第２欄５、第５欄８、第３欄６の順に並んでいる（図１（Ｂ）の第１欄４及び第２欄５の具体的な表示は煙草メーカーの登録商標である。）。
【００２０】
本実施形態では各表示欄は枠線９で囲われており、また、第２欄４と第３欄５との境界を除く他の欄の境界は仕切り線１０で区画されている。煙草の多くは１カートンで１０個入りであるが、ショートポープ（登録商標）は１カートン２０個入りになっている。
【００２１】
図２（Ａ）では、４種類の煙草が詰められた段ボール箱１１の外観を表示している。すなわち、箱詰めされている煙草の銘柄に対応したラベル２を段ボール箱１１の表面に貼って、各ラベル２の第３欄６に煙草の入数（箱数）を手書きで記入しており、図２（Ｂ）はラベル２の群の拡大図である。なお、図２（Ｂ）ではパッケージ及び銘柄名は抽象的に表示している。
【００２２】
このように、段ボール箱１１に詰められている煙草の種類と数量とが段ボール箱１１の表面に表示されているため、検品のために一々段ボール箱を開封する必要はなく、このため検品の手間を著しく軽減することができる。また、出荷に際しては第３欄６に数量を記入するだけで良いため、出荷作業に際して手間やコストがかかることはない。また、出荷する業者も、段ボール箱１１を封止した後において、例えばトラックに積み込む前に顧客ごとの配送内容を最終的にチェックできるため、配送間違いの抑制にも貢献できる。
【００２３】
なお、煙草は、製造元（国産品の場合は日本たばこ産業株式会社）や輸入元（一般に商社）から元売り業者を経由して卸されており、元売り業者からたばこ屋等の小売店に直接に卸されるか、或いは、元売り業者から中卸業者を介してパチンコ店等の小売店に卸される。そして、煙草の卸売では一般に煙草１箱を１個として個数単位で取引されており、従って、第３欄には、予め「個」の文字を印刷しておくと、注文数と配達数とが同じかどうかを確認し易くて好適である。勿論、カートン単位で取引する場合は、第３欄に「カートン」の文字を印刷しておけば良い。
【００２４】
以上、本願発明の一実施形態を説明したが、本願発明は上記の実施形態に限定されるものではなく、他の形態にも具体化することができる。例えばラベルは必ずしも横長の帯状である必要はなく、縦長の長方形に形成して各記入欄を並列に設けるなどしても良い。
【００２５】
また、銘柄によってラベルの使用頻度に大きな違いがある場合は、使用頻度の高いラベルは１枚の台紙に複数枚貼っておくというように、１枚の台紙に同種ラベルを複数枚貼っておくことも可能である。或いは、１枚の台紙には１種類のラベルだけを貼って、各銘柄ごとにラベル集合体を作成しておくことも可能である。
【図面の簡単な説明】
【００２６】
【図１】(A)は本願発明の実施形態に係るラベル集合体の概略斜視図、 (B)は部分的な平面図である。
【図２】(A)は段ボール箱にラベルを貼った状態の概略斜視図、 (B)はラベルの群の平面図である。
【符号の説明】
【００２７】
１  ラベル集合体
２  ラベル（単体）
３  台紙
４  第１欄
５  第２欄
６  第３欄
７  第４欄
８  第５欄
１１  段ボール箱
【図１】
2006259265.tif 000003
【図２】
2006259265.tif 000004